(57)【特許請求の範囲】
【請求項１】
被写体に励起光を照射するＬＥＤ部と、被写体から誘導放出された蛍光を検出する受光部と、制御部を少なくとも備えた口腔内装着物判別装置であって、
口腔内装着物が歯科用陶材、歯冠用硬質レジン、歯冠修復用コンポジットレジン、歯科用接着材、アクリル系レジン歯、陶歯であり、種別が製品名及び／又は製造元であって、
口腔内装着物に関する製品名などに例示される種別と該励起光の波長に対応する蛍光の波長及び／又は強度の関係を示す材料情報を備え、受光部が検出した蛍光から波長及び／又は強度を制御部が演算し、材料情報と照合することで被写体の種別を表示する口腔内装着物判別装置。
【請求項２】
請求項１記載の口腔内装着物判別装置であって、ＬＥＤ部と被写体との間に励起光の波長または偏光を選別する単一または複数の励起光用フィルターを介することを特徴とする口腔内装着物判別装置。
【請求項３】
請求項１または２記載の口腔内装着物判別装置であって、受光部と被写体との間に蛍光の波長または偏光を選別する単一または複数の蛍光用フィルターを介することを特徴とする口腔内装着物判別装置。
【請求項４】
請求項１〜３のいずれかに記載の口腔内装着物判別装置であって、波長が同一または異なる複数のＬＥＤを含むＬＥＤ部を有することを特徴とする口腔内装着物判別装置。
【請求項５】
請求項１〜４のいずれかに記載の口腔内装着物判別装置であって、受光する波長が同一または異なる複数の受光素子を含む受光部を有することを特徴とする口腔内装着物判別装置。
【請求項６】
請求項１〜５のいずれかに記載の口腔内装着物判別装置であって、ファインダーを有することを特徴とする口腔内装着物判別装置。
【発明の詳細な説明】
【技術分野】
【０００１】
種別の分からない被写体に励起光を照射し、被写体から誘導放出された蛍光の種別から口腔内装着物の種別を表示する装置に関する。
【背景技術】
【０００２】
各社は口腔内装着物を開発し、歯科医に提供することで患者の口腔内に装着されている。口腔内に装着された口腔内装着物を修復する場合、各社販売している口腔内装着物の種類によって修復方法が異なる。歯科医は過去の経験から最も適した方法で修復処置を行っていたが、誤って異なる術式にて修復処置を行う場合もあり、口腔内に装着された口腔内装着物の種別を知る方法が求められていた。
特許文献1には、義歯床に識別情報を埋め込み記録する方法が知られている。義歯そのものが何れの患者のものか識別することができるが、義歯材料の製造元を特定することはできなかった。
【先行技術文献】
【特許文献】
【０００３】
【特許文献１】特開２０１３−２４４１５１
【発明の概要】
【発明が解決しようとする課題】
【０００４】
口腔内に装着された口腔内装着物の種別を知ることで、口腔内装着物に合わせた適切な修復をすることが望まれていた。更に、損傷の大きい遺体の本人確認をする情報の一つとして、遺体の口腔内に装着された口腔内装着物の種別を知ることが望まれていた。
今までは、口腔内装着物の色彩などで種別を判断しているものの、各口腔内装着物の製造会社は口腔内装着物を天然歯牙の色調に合わせて色彩を調合しているため、各社同様な色彩となっており、色彩からは口腔内装着物の種別を判別することは難しかった。
更に、口腔内装着物は半透明であることも多く、積層して用いることもあり、色彩で口腔内装着物の種別を判断することを困難にしていた。口腔内装着物の種別を判断できる場合であっても、製造会社や製品名を特定することは更に難しかった。
【課題を解決するための手段】
【０００５】
本発明は被写体に励起光を照射するＬＥＤ部と、被写体から誘導放出された蛍光を検出する受光部を少なくとも備えた口腔内装着物判別装置であって、制御部と、口腔内装着物に関する製品名などに例示される種別と該励起光の波長に対応する蛍光の波長及び／又は強度の関係を示す材料情報を備え、受光部が検出した蛍光から波長及び／又は強度を制御部が演算し、材料情報と照合することで被写体の種別を表示する口腔内装着物判別装置である。
【０００６】
本発明は、ＬＥＤ部と被写体との間に励起光の波長または偏光を選別する単一または複数の励起光用フィルターを介することが好ましい。本発明は、受光部と被写体との間に蛍光の波長または偏光を選別する単一または複数の蛍光用フィルターを介することが好ましい。本発明は、波長が同一または異なる複数のＬＥＤを含むＬＥＤ部を有することが好ましい。本発明は、波長が同一または異なる複数の受光素子を含む受光部を有することが好ましい。本発明は、ファインダーを有することが好ましい。
【発明の効果】
【０００７】
口腔内に装着された被写体から種別を知ることで、被写体に合わせた適切な修復を行うことができる。更に、損傷の大きい遺体の本人確認をする情報の一つとして、遺体の口腔内に装着された口腔内装着物の種別を知ることができる。
【発明を実施するための形態】
【０００８】
本発明の口腔内装着物判別装置で表示される被写体の種別は、各社が製品に混合している蛍光を発する成分から特定するものである。予め、種別が明らかになっている口腔内装着物に特有の励起光を有するＬＥＤの光を照射して、誘導放出された波長及び／または強度の材料情報を記録する。種別が不明な被写体に特定の励起光を有するＬＥＤの光を照射することで、誘導放出された波長及び／または強度を測定する。測定された種別が不明な口腔内装着物にかかる蛍光の波長及び／または強度を材料情報と照合することで、種別が分からない被写体の種別を特定するものである。種別とは、陶材や樹脂材などの材料の種別情報や製品名及び／又は製造元などの製品を特定するための種別情報である。好ましくは製品名及び／又は製造元である。
各口腔内装着物に用いている製品に混合している蛍光を発する成分の種類や量は各社異なり、蛍光を調べることで種別を判別することができる。
このことから、口腔内装着物は蛍光性を発する材料に限られる。具体的には、歯科用陶材、歯冠用硬質レジン、歯冠修復用コンポジットレジン、歯科用接着材、アクリル系レジン歯、陶歯などが上げられる。
【０００９】
ＬＥＤ部は励起光を照射するＬＥＤを含み、ＬＥＤの発光領域は１００〜９００ｎｍである。生体応用として好ましくは、３７０〜８００ｎｍである。紫外領域は生体へ悪影響を及ぼす為に好ましくないためである。また、照射領域は１００ｎｍの範囲である。より好ましくは６０ｎｍの範囲である。
ＬＥＤ部には波長が同一または異なる複数のＬＥＤを有することで、複数の励起光を照射することができ、誘導放出された波長及び／または強度を測定することができる。
【００１０】
被写体に照射する励起光の波長帯を一定にする為に、ＬＥＤ部と被写体の間に、波長または偏光を選別する単一または複数の励起光用フィルターを設ける事ができる。励起光の波長帯の上限と下限をカットする為に２枚の励起光用フィルターを用いることが好ましい。
【００１１】
本発明の口腔内装着物判別装置に装備する受光部は誘導放出された蛍光を検出するものである。受光部は被写体から誘導放出された蛍光を検出することができれば限定するものではない。
具体的な受光部は受光素子または撮像素子を含む構成であり、好ましくはＣＣＤやＣＭＯＳカメラなどで、被写体の蛍光画像を確認しながら蛍光を測定することである。また、受光部は蛍光を受光するため、ＬＥＤ部が発する波長とは異なる波長を受光するものである。
受光部には波長が同一または異なる複数の受光素子または撮像素子を有することで、複数の蛍光を受光することができ、複数の蛍光を検出することができる。
【００１２】
特定の波長のみを受光する様に、受光部と被写体の間に、波長または偏光を選別する単一または複数の蛍光用フィルターを設ける事ができる。蛍光の波長帯の上限と下限をカットする為に２枚の蛍光用フィルターを用いることが好ましい。また、蛍光用フィルターは乱反射光を透過させないため、被写体から誘導放出された蛍光を正確に測定することができる。
【００１３】
また、ファインダーで被写体に励起光が照射される測定範囲を限定することが好ましい。ファインダーの好ましい1例として、測定範囲にレーザを照射して測定範囲を明確にすることもできる。また、もう一つの例として、蛍光画像を測定した後に、コンピュータプログラムにより、蛍光画像の被写体の測定範囲を特定することも含むものである。いずれの場合も、測定範囲は点又は範囲で示すことが好ましい。
【００１４】
本発明の口腔内装着物判別装置に用いられる制御部は前記ＬＥＤ部や受光部を制御する部分である。より好ましくは、ＬＥＤ部、受光部、励起光用フィルター、蛍光用フィルターを制御する部分である。制御部分は、記憶装置、演算装置を含み、プログラムのよって制御されることが好ましい。
【００１５】
本発明の実施手段を以下に説明する。
特定の励起光を照射するＬＥＤの光を、予め種別が既に明らかである口腔内装着物に照射して誘導放出された蛍光の波長及び／または強度の材料情報を準備し、記憶装置に保存する。複数の材料情報を有することが好ましい。材料情報は追加、削除、変更できることが好ましい。
次に、種別が分からない被写体にＬＥＤ部から励起光を照射し、被写体から誘導放出された蛍光を受光部が検出する。被写体から誘導放出された蛍光の波長及び／又は強度などの被写体情報を取得する。
材料情報と被写体情報とを照合することで、種別を表示するものである。複数の材料情報と複数の被写体情報とを照合することでより正確な被写体の種別を判別をすることができる。
材料情報である蛍光の強度が一定以上であれば、「有」、一定を満たさなければ「無」として分けることができる。
照合された種別の表示は、口腔内装着物の種別が分かる様に表示されれば特に限定しないが、液晶表示が好ましい。
【００１６】
次に被写体から誘導放出された蛍光から、被写体の種別を表示するプログラムについて説明する。
プログラムは口腔内装着物の種別とそれに起因する特定する蛍光の波長及び／又は強度を示す材料情報と、種別が分からない被写体から得られた被写体情報とを照合し、合致した口腔内装着物の種別を表示するものである。
【００１７】
次に、図を用いて説明する。図１には本発明の口腔内装着物判別装置の概念図を示している。
ＬＥＤ１から発せられた励起光が、励起光用フィルター２を介して、波長帯を限定された励起光３をえることができる。得られた励起光３は被写体４に当たり、蛍光５を発する。蛍光５は蛍光用フィルター６を介して不要な乱反射光などを遮蔽して、受光部７に受光される。受光された蛍光の波長及び／又は強度は材料情報となり、制御部で口腔内装着物の材料情報と照合され、該当する被写体の種別を表示する。
【産業上の利用可能性】
【００１８】
被写体の製品名及び製造元を特定できる為、適切な修復作業ができる装置にかかるものであり、産業上利用することができる。
【図面の簡単な説明】
【００１９】
【図１】本発明の口腔内装着物判別装置の概念図
【符号の説明】
【００２０】
１  ＬＥＤ
２  励起光用フィルター
３  励起光
４  被写体
５  蛍光
６  蛍光用フィルター
７  受光部
【要約】      （修正有）【課題】種別の分からない被写体に励起光を照射し、被写体から誘導放出された蛍光の種別から被写体の種別を表示する装置を提供する。【解決手段】被写体に励起光３を照射するＬＥＤ部１と、被写体から誘導放出された蛍光５を検出する受光部７と、制御部とを備えた口腔内装着物判別装置であって、口腔内装着物の種別と、該励起光３の波長に対応する蛍光４の波長及び／又は強度を含む材料情報を有し、制御部が、受光部が検出した蛍光４から被写体情報である蛍光４の波長及び／又は強度を演算し、材料情報と照合し、口腔内装着物の種別を表示する。【選択図】図１【図１】
0006025934.tif 000002